(57)【要約】【課題】  ＲＦＩＤタグに記録された識別情報を持ち運び可能な記録媒体に記録して持ち帰ることにより、利用者がそれに記録された識別情報をパーソナルコンピュータに入力し、識別情報にもとづいてインターネットを介してデータベースを検索して、その商品の関連情報を取得し利用することを目的とする。【解決手段】  情報管理システムは、物品に付帯するタグ１から物品の識別情報を受信し、受信した物品の識別情報を持ち運び可能な記録媒体５に記録する情報管理装置２と、持ち運び可能な記録媒体５に記録された物品の識別情報を入力し、入力した識別情報にもとづいて物品の関連情報を検索し取得する情報アクセス装置３とを備える。情報管理装置２と情報アクセス装置３とはネットワーク４により接続されている。【選択図】        図１
2006024022.tif 000002
【特許請求の範囲】
【請求項１】
物品に付帯するタグから物品の識別情報を受信し、受信した物品の識別情報を持ち運び可能な記録媒体に記録する情報管理装置と、
前記持ち運び可能な記録媒体に記録された物品の識別情報を入力し、入力した物品の識別情報にもとづいて物品の情報を検索し取得する情報アクセス装置と
を備えたことを特徴とする情報管理システム。
【請求項２】
物品に付帯するタグから物品の識別情報を受信する識別情報受信部と、
前記識別情報受信部が受信した物品の識別情報を持ち運び可能な記録媒体に記録する情報記録部と
を備えたことを特徴とする情報管理装置。
【請求項３】
前記情報管理装置はさらに、前記識別情報受信部が受信した物品の識別情報にもとづいて物品の情報を検索する情報検索部を備えており、
前記情報記録部は、前記情報検索部が検索した物品の情報を前記物品の識別情報と共に前記持ち運び可能な記録媒体に記録すること
を特徴とする請求項２に記載の情報管理装置。
【請求項４】
前記情報管理装置はさらに、アクセス情報を外部から設定するアクセス情報設定部を備えており、
前記情報記録部は、前記アクセス情報設定部から設定したアクセス情報を前記物品の識別情報と共に前記持ち運び可能な記録媒体に記録すること
を特徴とする請求項２に記載の情報管理装置。
【請求項５】
前記アクセス情報設定部は、
利用者のクレジットカード番号および利用者固有のコードの少なくともいずれかを含むアクセス情報を設定すること
を特徴とする請求項４に記載の情報管理装置。
【請求項６】
前記情報記録部は、
前記アクセス情報設定部から設定したアクセス情報を暗号化した後に前記持ち運び可能な記録媒体に記録すること
を特徴とする請求項４に記載の情報管理装置。
【請求項７】
前記情報管理装置はさらに、アクセス情報を生成するアクセス情報生成部を備えており、
前記情報記録部は、前記アクセス情報生成部が生成したアクセス情報を前記物品の識別情報と共に前記持ち運び可能な記録媒体に記録すること
を特徴とする請求項２に記載の情報管理装置。
【請求項８】
前記情報管理装置はさらに、アクセス情報を外部から設定するアクセス情報設定部と前記識別情報受信部が受信した物品の識別情報にもとづいて物品の情報を検索する情報検索部とを備えており、
前記情報検索部は、
前記識別情報受信部が受信した物品の識別情報と前記アクセス情報設定部が設定したアクセス情報とを対応させて管理すること
を特徴とする請求項２に記載の情報管理装置。
【請求項９】
前記情報管理装置は、
前記持ち運び可能な記録媒体として、紙と、磁気テープと、フレキシブルディスク（ＦＤ）と、コンパクトディスク（ＣＤ）と、ディジタルバーサタイルディスク（ＤＶＤ）と、インテグレーテッドサーキット（ＩＣ）メモリと、および携帯情報端末とのいずれかを用いること
を特徴とする請求項２に記載の情報管理装置。
【請求項１０】
前記情報管理装置は、
前記持ち運び可能な記録媒体として紙を用い、
前記情報記録部は、文字の印刷、二次元バーコードの印刷、または磁気による記入により前記紙への記録すること
を特徴とする請求項２に記載の情報管理装置。
【請求項１１】
前記情報管理装置は、
前記持ち運び可能な記録媒体として商品の購入代金の支払い時に渡されるレシート用い、
前記情報記録部は、文字の印刷と二次元バーコードの印刷との少なくともいずれかにより物品の識別情報を前記レシートへ記録すること
を特徴とする請求項２に記載の情報管理装置。
【請求項１２】
物品に付帯するタグから物品の識別情報を受信する識別情報受信工程と、
前記識別情報受信工程により受信した物品の識別情報を持ち運び可能な記録媒体に記録する情報記録工程と
を実行することを特徴とする情報管理方法。
【請求項１３】
持ち運び可能な記録媒体に記録された物品の識別情報を入力する識別情報入力部と、
前記識別情報入力部から入力した物品の識別情報にもとづいて物品の情報を検索して取得する情報取得部と
を備えたことを特徴とする情報アクセス装置。
【請求項１４】
前記情報アクセス装置はさらに、前記持ち運び可能な記録媒体に記録されたアクセス情報を入力するアクセス情報入力部を備えており、
前記情報取得部は、前記アクセス情報入力部から入力したアクセス情報にもとづいて許可された場合に物品の情報の検索を行い取得すること
を特徴とする請求項１２に記載の情報アクセス装置。
【請求項１５】
持ち運び可能な記録媒体に記録された物品の識別情報を入力する識別情報入力工程と、
前記識別情報入力工程により入力した物品の識別情報にもとづいて物品の情報を検索し取得する情報取得工程と
を実行することを特徴とする情報アクセス方法。
【発明の詳細な説明】
【技術分野】
【０００１】
この発明は、ＲＦＩＤタグより受信した識別情報を持ち運び可能な記録媒体に記録し、移動先で持ち運び可能な記録媒体に記録してある識別情報を元にしてデータベースにアクセスし、情報を取得する情報管理システムに関する。
【背景技術】
【０００２】
ＲＦＩＤ（Ｒａｄｉｏ  Ｆｒｅｑｕｅｎｃｙ  Ｉｄｅｎｔｉｆｉｃａｔｉｏｎ）タグは、ＩＣ（Ｉｎｔｅｇｒａｔｅｄ  Ｃｉｒｃｕｉｔ）タグや無線タグとも呼ばれ、情報を書き込んだＩＣチップと電波の送受信を行うアンテナから構成されている。ＲＦＩＤタグは、情報の読み取り器が送信した電波をアンテナが受信して内部で電力を発生し、それを用いてＩＣチップから情報を読み出してアンテナから送信する機能を備えている。読み取り器は、ＲＦＩＤタグが送信した電波を受信することにより、ＲＦＩＤタグから非接触で情報を読み取ることができる。
【０００３】
ＲＦＩＤタグは、様々な分野で利用方法が提案されている。特に、ＲＦＩＤタグを物品に付帯させることにより個々の物品を識別することができるようになり、それにより個々の物品を管理することが可能となる。
【０００４】
事業者が主に事業の効率化を目的としてＲＦＩＤタグを利用する例がある（特許文献１を参照）。例えば、物品にＲＦＩＤタグを付帯させ、倉庫から物品を出荷する際にＲＦＩＤタグから識別情報を読み取ることにより、物品の在庫を管理することができる。また、物品の出荷後に要所においてＲＦＩＤタグから識別情報を読み出して登録することにより、物品の配送状況を管理することができる。
【０００５】
また、店舗においてはＲＦＩＤタグを商品に付帯させ、ＰＯＳ（Ｐｏｉｎｔ  ｏｆ  Ｓａｌｅｓ）システムと接続する読み取り器により、ＲＦＩＤタグから識別情報を読み取る。ＰＯＳは、その識別情報を元にデータベースから商品の金額を読み出し、購入した商品の合計金額の計算や在庫管理等に利用することができる。
【０００６】
事業者が顧客へ情報の提供を目的として利用する例がある（特許文献２を参照）。例えば、店舗で販売する商品に識別情報を記録したＲＦＩＤタグを付帯させ、顧客が商品に付帯するＲＦＩＤタグを読み取り器にかざすことにより、読み取り器はＲＦＩＤタグに記録されている識別情報を読み取る。読み取り器は、その識別情報をもとにしてデータベースからその商品の生産地、生産者、生産日、賞味期限（品質保持期限）、流通ルートなどの情報を読み出して顧客に提示する。
【０００７】
このようにＲＦＩＤタグは、従来、主に倉庫や店舗等の事業者の領域内で事業の効率化や顧客へのサービスの提供の手段として利用されている。
【特許文献１】特開２００２−１５０２４１号公報（段落００４４〜００７８、図８〜１５）
【特許文献２】特開２００２−２０８０７２号公報（段落００２１〜００３１、図１〜７）
【発明の開示】
【発明が解決しようとする課題】
【０００８】
このようにＲＦＩＤタグおよびそれを用いた情報管理システムは普及しつつある。しかしながら、ＲＦＩＤタグの読み取り器は、まだ一般家庭にまでは普及しておらず、そのためＲＦＩＤタグが備える機能を十分に活用しきれていない。
【０００９】
利用者がＲＦＩＤタグを家庭に持ち帰り、そこから識別情報を読み出して利用できることが望ましい。しかし、そうでなくともＲＦＩＤタグに記録された識別情報を何らかの手段で家庭に持ち帰ることができれば、例えば、インターネットを介して、その識別情報を元にして購入した商品に関連する情報を得ることができる。得た情報は、家計の管理や食品の賞味期限（品質保持期限）の管理などに直接利用することができる。
【００１０】
本発明は、このような問題を鑑みてなされたものであり、ＲＦＩＤタグに記録された識別情報を持ち運び可能な記録媒体に記録して持ち帰ることにより、利用者がそれに記録された識別情報をパーソナルコンピュータ（以後、「ＰＣ」と略称する）に入力し、識別情報にもとづいてインターネットを介してデータベースを検索して、その商品の関連する情報を取得し利用することを目的とする。
【課題を解決するための手段】
【００１１】
前記した課題を解決するため情報管理システムは、物品に付帯するタグから物品の識別情報を受信し、受信した物品の識別情報を持ち運び可能な記録媒体に記録する情報管理装置と、持ち運び可能な記録媒体に記録された物品の識別情報を入力し、入力した物品の識別情報にもとづいて物品の情報を検索し取得する情報アクセス装置とを備えることとした。
【００１２】
物品に付帯するタグには、前記したＲＦＩＤタグを利用することができる。
【発明の効果】
【００１３】
本発明によれば、物品に付帯するタグに記録された識別情報を情報管理装置で持ち運び可能な記録媒体に記録し、持ち帰った記録媒体から識別情報を読み出して情報アクセス装置に入力し、それにもとづいてインターネットを介してデータベースを検索し、物品に関連する情報を得ることができる。
【発明を実施するための最良の形態】
【００１４】
実施の形態１．
実施の形態１では、情報管理装置がＲＦＩＤタグから受信した識別情報にもとづいてデータベースから情報を検索すると共に、それらを持ち運び可能な記録媒体に記録し、利用者が記録媒体を持ち帰った後、情報アクセス装置が持ち運び可能な記録媒体から識別情報を読み出し、それにもとづいてデータベースを検索し、さらに情報を得るという最も基本的な実施の形態について説明する。
【００１５】
図１は、情報管理システムの構成を示す図である。
情報管理システムは、物品に付帯するＲＦＩＤタグ１から物品の識別情報を受信し、受信した物品の識別情報を持ち運び可能な記録媒体５に記録する情報管理装置２と、持ち運び可能な記録媒体５に記録された物品の識別情報を入力し、入力した識別情報にもとづいて物品の情報（関連情報（後述する））を検索し取得する情報アクセス装置３とを備える。情報管理装置２と情報アクセス装置３とはネットワーク４により接続されている。
【００１６】
図１では、物品に付帯するタグはＲＦＩＤタグ１であり、店舗に設置された情報管理装置２で物品の識別情報を記録した持ち運び可能な記録媒体５を利用者が自宅へ持ち帰り、情報アクセス装置３に入力して利用する場合を示している。持ち運び可能な記録媒体５はレシート（領収書）であり、そこに二次元バーコードで識別情報が記録されている。情報アクセス装置３は、バーコードリーダにより二次元バーコードで記録された識別情報を読み込む。
【００１７】
図２は、実施の形態１における情報管理装置２の構成を示す図である。
情報管理装置２は、物品に付帯するタグから物品の識別情報を受信する識別情報受信部２１と、識別情報受信部２１が受信した物品の識別情報を持ち運び可能な記録媒体５に記録する情報記録部２２とを備えている。
【００１８】
情報管理装置２は、識別情報受信部２１と情報記録部２２とに加えてさらに、識別情報受信部２１が受信した物品の識別情報にもとづいて物品の情報（付帯情報）を検索する情報検索部２３とを備えており、情報記録部２２は、情報検索部２３が検索した物品の情報（付帯情報）を物品の識別情報と共に持ち運び可能な記録媒体５に記録する。
【００１９】
情報管理装置２は、ネットワーク４を介して情報アクセス装置３との間で情報の送受信を行う受信部２７と送信部２８と、物品の情報（付帯情報）を記憶しているデータベース２４とを備えており、情報検索部２３はデータベース２４から物品の情報（付帯情報）を検索する。
【００２０】
識別情報受信部２１は、備えるアンテナから物品に付帯するＲＦＩＤタグへ電波を送信した後、ＲＦＩＤタグから電波を受信して物品の識別情報を得て、情報記録部２２と情報検索部２３へ送る。情報検索部２３は、識別情報受信部２１から受け取った識別情報にもとづいてデータベース２４を検索し、物品の付帯情報得る。データベース２４は、物品の付帯情報と関連情報とを記憶している。情報記録部２２は、識別情報受信部２１から受け取った識別情報と情報検索部２３が検索して得た付帯情報とを持ち運び可能な記録媒体５に二次元バーコードにより記録する。なお、必要ない場合には、付帯情報を持ち運び可能な記録媒体５に記録しなくてもよい。
【００２１】
ここで、物品の付帯情報とは、例えば、商品の名称、価格、仕様、生産者、生産地、生産日、賞味期限（品質保持期限）、添加物の有無、購入店、購入日などの情報管理装置２が設置された場所で利用者が取得したいと考える情報である。また、物品の付帯情報と共に、後日、外部からデータベース２４にアクセスする際に必要となる情報も取得することができる。
【００２２】
ここでは識別情報受信部２１は、ＲＦＩＤタグ１から電波により識別情報を受信する機能を備えるとしているが、物品を一意に識別可能な他の機能を備えるものであってもよく、またそのような機能を複数兼ね備えていてもよい。
【００２３】
実施の形態１では情報記録部２２が二次元バーコードをレシートに印刷する機能を備えていることを想定しているが、文字の印字やハードディスク等の外部記憶装置や他の装置への出力、さらには、これらの機能を複数兼ね備えていてもよい。
【００２４】
情報管理装置２は、持ち運び可能な記録媒体５として、紙と、磁気テープと、フレキシブルディスク（ＦＤ）と、コンパクトディスク（ＣＤ）と、ディジタルバーサタイルディスク（ＤＶＤ）と、インテグレーテッドサーキット（ＩＣ）メモリと、および携帯情報端末とのいずれかを用いる。
【００２５】
情報管理装置２は、持ち運び可能な記録媒体５として紙を用い、情報記録部２２は、文字の印刷、二次元バーコードの印刷、または磁気による記入により紙へ記録する。
【００２６】
さらに、情報管理装置２は、持ち運び可能な記録媒体５として商品の購入代金の支払い時に渡されるレシート用い、情報記録部２２は、文字の印刷と二次元バーコードの印刷との少なくともいずれかにより物品の識別情報をレシートへ記録する。
【００２７】
図３は、実施の形態１における情報アクセス装置３の構成を示す図である。
情報アクセス装置３は、持ち運び可能な記録媒体５に記録された物品の識別情報を入力する識別情報入力部３１と、識別情報入力部３１から入力した物品の識別情報にもとづいて物品の情報（関連情報）を検索して取得する情報取得部３２とを備える。
【００２８】
識別情報入力部３１は、持ち運び可能な記録媒体５に二次元バーコードで記録された識別情報を入力し、情報取得部３２へ送る。情報取得部３２は、識別情報入力部３１から受け取った識別情報にもとづいてネットワーク４を介して情報管理装置２のデータベース２４を検索し、識別情報が記録されていたＲＦＩＤタグ１が付帯する物品の関連情報を取得する。また、同時に前記した付帯情報を、再度、取得してもよい。さらに、付帯情報が持ち運び可能な記録媒体５に二次元バーコードで記録されていれば、図示しない表示部により表示してもよい。
【００２９】
ここで、関連情報とは商品を購入した後に付帯情報に加えてさらに必要となる情報であり、例えば、部品や付属品の情報、メンテナンスの情報、リコール情報などがある。
【００３０】
次に、情報管理装置２と情報アクセス装置３の動作を説明する。
情報管理装置２は、物品に付帯するＲＦＩＤタグ１から物品の識別情報を受信する識別情報受信工程と、識別情報受信工程により受信した物品の識別情報を持ち運び可能な記録媒体５に記録する情報記録工程とを実行する。
【００３１】
情報アクセス装置３は、持ち運び可能な記録媒体５に記録された物品の識別情報を入力する識別情報入力工程と、識別情報入力工程により入力した物品の識別情報にもとづいて物品の情報（関連情報）を検索し取得する情報取得工程とを実行する。
【００３２】
情報管理装置２と情報アクセス装置３の動作をさらに詳しく説明する。
図４は、実施の形態１における情報管理装置２と情報アクセス装置３との動作を示すフローチャートである。
【００３３】
（識別情報受信工程）
情報管理装置２の識別情報受信部２１は、備えるアンテナから所定の時間間隔で電波を送信する（ステップＳ１００）。情報管理装置２から所定の距離に接近して電波を受信した物品に付帯するＲＦＩＤタグ１は、受信した電波を元にして内部で電力を生成し、これによりＩＣチップに記憶されている物品の識別情報を読み出して、アンテナから情報管理装置２に向けて電波を送信する。
【００３４】
情報管理装置２の識別情報受信部２１は、ＲＦＩＤタグ１が送信した電波を受信したか否かを判断する（ステップＳ１０１）。受信した場合（ステップＳ１０１のＹｅｓの場合）、受信した電波から物品の識別情報を得て、情報記録部２２と情報検索部２３へ送る（ステップＳ１０２）。受信しなかった場合（ステップＳ１０１のＮｏの場合）、ステップＳ１００へ戻る。以上が識別情報受信工程である。
【００３５】
これらは、例えば、商品を購入する際に、商品に付帯したＲＦＩＤタグから読み取り器により識別情報を読み込むことに相当する。
【００３６】
（情報検索工程）
情報検索部２３は、識別情報受信部２１から受け取った識別情報にもとづいて、データベース２４の検索を行い、識別情報が示す物品の付帯情報を得て、情報記録部２２へ送る（ステップＳ１０３）。以上が情報検索工程である。
【００３７】
（情報記録工程）
情報記録部２２は、識別情報受信部２１より受け取った識別情報を持ち運び可能な記録媒体５へ記録する。また、必要に応じて情報検索部２３より受け取った付帯情報を持ち運び可能な記録媒体５へ記録する（ステップＳ１０４）。以上が情報記録工程である。
【００３８】
情報記録工程での情報の記録方法は、商品を購入した際に受け取るレシートへの印字や添付（レシートへの電子的な記入も含む）、外部のストレージ（記憶装置）への保存、携帯情報端末への送信、およびこれらの組み合わせがある。
【００３９】
記録する情報には識別情報の他に、例えば、データベース２４に記録されている商品の付帯情報、その抜粋情報、そして、後日、外部からデータベースにアクセスする際に必要となる情報がある。
【００４０】
情報を記録する形式には、文字等の人が認識できる形式、二次元バーコードやＲＦＩＤタグなどの特定の読み込み器を用いて認識可能となる形式、およびそれらの組み合わせがある。レシートに出力する場合には、裏面等の余白部分を利用した印字や二次元バーコードの印刷がある。
【００４１】
（識別情報入力工程）
情報アクセス装置３の識別情報入力部３１は、持ち運び可能な記録媒体５から記録されている物品の識別情報を入力し、情報取得部３２へ送る（ステップＳ１０５）。以上が識別情報入力工程である。
【００４２】
物品の識別情報の入力は、持ち運び可能な記録媒体５に人が認識できる形式で識別情報が記録されている場合には、例えば、キーボードから入力することができる。また、二次元バーコードやＲＦＩＤタグに記録されている場合には、対応する読み取り器を用いて入力する。
【００４３】
（情報取得工程）
情報取得部３２は、識別情報入力部３１から受け取った識別情報をネットワーク４を介して情報管理装置２の情報検索部２３へ送る（ステップＳ１０６）。
【００４４】
ネットワーク４を介した情報管理装置２の情報検索部２３へのアクセス方法としては、例えば、インターネット経由でデータベースへのアクセス用ホームページを利用したアクセス用スクリプトによる方法などが考えられる。この方法を用いる場合、ＵＲＬ（Ｕｎｉｆｏｒｍ  Ｒｅｓｏｕｒｃｅ  Ｌｏｃａｔｏｒ）を入力してホームページを開き、識別情報とアクセス情報（後述する）を入力して、データベースにアクセスする。
【００４５】
情報管理装置２の情報検索部２３は、受信部２７を介して情報アクセス装置３から受信した識別情報にもとづいてデータベース２４を検索して物品の関連情報を取得し、送信部２８を介して情報アクセス装置３の情報取得部３２へ送信する（ステップＳ１０７）。
【００４６】
情報アクセス装置３の情報取得部３２は、情報管理装置２から受信した物品の関連情報を図示しない表示部によって利用者に提示するか、または、ストレージに保存する（ステップＳ１０８）。以上が情報取得工程である。
【００４７】
本実施の形態により情報管理装置２は、物品に付帯するＲＦＩＤタグから識別情報を受信して、持ち運び可能な記録媒体へ記録することができる。情報アクセス装置３は、持ち運び可能な記録媒体から識別情報を読み出し、ネットワークを介して読み出した識別情報にもとづいてデータベースを検索し、物品に関連する情報を得ることができる。ここで、ネットワークを介してデータベースから得る物品に関連する情報は、商品を購入した後に必要となる部品や付属品の情報、メンテナンスの情報、リコール情報などの関連情報である。
【００４８】
本実施の形態により情報管理装置２は、物品に付帯するＲＦＩＤタグから識別情報を受信し、受信した識別情報にもとづいてデータベースの検索を行い、物品の情報を得ることができる。ここで、データベースから得る物品の情報は、店舗において消費者がすぐに確認したい商品の値段や賞味期限、生産地等の前記した付帯情報である。
【００４９】
本実施の形態により情報管理装置２で情報を記録する持ち運び可能な記録媒体として、紙と、磁気テープと、フレキシブルディスク（ＦＤ）と、コンパクトディスク（ＣＤ）と、ディジタルバーサタイルディスク（ＤＶＤ）と、インテグレーテッドサーキット（ＩＣ）メモリと、および携帯情報端末とのいずれかを用いることにより、識別情報を記録媒体に記録して持ち帰ることが容易となる。また、ＲＦＩＤタグの読み取り器がなくても持ち帰った記録媒体から識別情報を読み出しＰＣに入力することにより、例えば、自宅からネットワークを介してデータベースにアクセスし、物品に関連する情報を取得し、家計管理や食品の賞味期限（品質保持期限）の管理に利用することができるようになる。
【００５０】
本実施の形態により持ち運び可能な記録媒体として紙を用いれば、それに文字や二次元バーコードを印刷することにより識別情報を非常に安価な費用で記録することができる。また、磁気を記録することができる磁気記録紙を用いれば、識別情報を磁気により紙に直接記録することができる。
【００５１】
本実施の形態により持ち運び可能な記録媒体として商品の購入代金の支払い時に渡されるレシートを用いれば、識別情報を記録するための紙や装置を別途用意する必要がなくなる。また、レシートを発行するＰＯＳと連動させれば、特別な操作をすることなく自動的に識別情報を記録することが可能となる。
【００５２】
実施の形態２．
実施の形態２では、実施の形態１の情報管理装置２の構成に、アクセス情報設定部２５を付加し、情報アクセス装置３の構成に、アクセス情報入力部３３を付加した実施の形態について説明する。
【００５３】
情報管理システムの構成は、実施の形態１の構成と同じである。図５は、実施の形態２における情報管理装置２の構成を示す図である。
情報管理装置２は、識別情報受信部２１と情報記録部２２とに加えてさらに、アクセス情報を外部から設定するアクセス情報設定部２５を備えており、情報記録部２２は、アクセス情報設定部２５から設定したアクセス情報を物品の識別情報と共に持ち運び可能な記録媒体５に記録する。
【００５４】
情報管理装置２は、識別情報受信部２１と情報記録部２２とに加えてさらに、アクセス情報を外部から設定するアクセス情報設定部２５と、識別情報受信部２１が受信した物品の識別情報にもとづいて物品の情報（付帯情報）を検索する情報検索部２３とを備えており、情報検索部２３は、識別情報受信部２１が受信した物品の識別情報とアクセス情報設定部２５が設定したアクセス情報とを対応させて管理する。
【００５５】
情報管理装置２は、ネットワーク４を介して情報アクセス装置３との間で情報の送受信を行う受信部２７と送信部２８と、物品の情報（付帯情報）を記憶しているデータベース２４とを備えており、情報検索部２３はデータベース２４から物品の情報（付帯情報）を検索する。
【００５６】
アクセス情報設定部２５は、離れた場所からネットワーク４を介してデータベース２４にアクセスする際に、利用者を認証するために用いられるアクセス情報を情報管理装置２の外部から設定する。
【００５７】
アクセス情報設定部２５は、利用者のクレジットカード番号および利用者固有のコードの少なくともいずれかを含むアクセス情報を設定する。
【００５８】
情報記録部２２は、アクセス情報設定部２５から設定したアクセス情報を暗号化した後に持ち運び可能な記録媒体に記録する。
【００５９】
図６は、実施の形態２における情報アクセス装置３の構成を示す図である。
情報アクセス装置３は、識別情報入力部３１と情報取得部３２とに加えてさらに、持ち運び可能な記録媒体５に記録されたアクセス情報を入力するアクセス情報入力部３３を備えており、情報取得部３２は、アクセス情報入力部３３から入力したアクセス情報にもとづいて許可された場合に物品の情報（関連情報）の検索を行い取得する。
【００６０】
アクセス情報入力部３３は、持ち運び可能な記録媒体５に記録されたアクセス情報を情報アクセス装置３の外部から設定する。なお、ここでは識別情報入力部３１とアクセス情報入力部３３とは、異なる部分として説明しているが、これらを一つにまとめた形態であってもよい。
【００６１】
図７と図８は、実施の形態２における情報管理装置２と情報アクセス装置３との動作を示すフローチャートである。
情報管理装置２の識別情報受信部２１は、備えるアンテナから所定の時間間隔で電波を送信する（ステップＳ２００）。情報管理装置２から所定の距離に接近して電波を受信した物品に付帯するＲＦＩＤタグ１は、受信した電波を元にして内部で電力を生成し、これによりＩＣチップに記憶されている物品の識別情報を読み出して、アンテナから情報管理装置２に向けて送信する。
【００６２】
情報管理装置２の識別情報受信部２１は、ＲＦＩＤタグ１が送信した電波を受信したか否かを判断する（ステップＳ２０１）。受信した場合（ステップＳ２０１のＹｅｓの場合）、受信した電波から物品の識別情報を得て、情報記録部２２と情報検索部２３とへ送る（ステップＳ２０２）。受信しなかった場合（ステップＳ２０１のＮｏの場合）、ステップＳ２００へ戻る。
【００６３】
アクセス情報設定部２５は、情報管理装置２の利用者に対して、アクセス情報の設定を促し、利用者が自分しか知らないクレジットカード番号や利用者固有のコードなどのアクセス情報を設定した後、そのアクセス情報を情報記録部２２と情報検索部２３とへ送る（ステップＳ２０３）。
【００６４】
情報検索部２３は、識別情報受信部２１から受け取った物品の識別情報とアクセス情報設定部２５から受け取ったアクセス情報とを対応させて図示しない記憶部に記憶する（ステップＳ２０４）。
【００６５】
また、情報検索部２３は、識別情報受信部２０から受け取った物品の識別情報にもとづいて、データベース２４の検索を行い、識別情報が示す物品の付帯情報を得て、情報記録部２２へ送る（ステップＳ２０５）。
【００６６】
情報記録部２２は、アクセス情報設定部２５から受け取ったアクセス情報を暗号化し（ステップＳ２０６）、識別情報受信部２１より受け取った物品の識別情報と共に、持ち運び可能な記録媒体５へ記録する。また、必要に応じて情報検索部２３より受け取った付帯情報を持ち運び可能な記録媒体５へ記録する（ステップＳ２０７）。
【００６７】
情報アクセス装置３の識別情報入力部３１は、持ち運び可能な記録媒体５に記録されている物品の識別情報を入力し、情報取得部３２へ送る（ステップＳ２０８）。アクセス情報入力部３３は、持ち運び可能な記録媒体５に記録されている暗号化されたアクセス情報を入力し、情報取得部３２へ送る（ステップＳ２０９）。情報取得部３２は、識別情報入力部３１から受け取った識別情報とアクセス情報入力部３３から受け取った暗号化されたアクセス情報とをネットワーク４を介して情報管理装置２へ送信する（ステップＳ２１０）。
【００６８】
情報アクセス装置３の情報取得部３２から、受信部２７を介して識別情報と暗号化されたアクセス情報とを受信した情報管理装置２の情報検索部２３は、暗号化されたアクセス情報を復号した後（ステップＳ２１１）、受信した識別情報とアクセス情報との対応が、自身が管理する識別情報とアクセス情報との対応に一致するか否かを確認する（ステップＳ２１２）。一致した場合（ステップＳ２１２のＹｅｓの場合）、情報検索部２３は、データベース２４を検索し、識別情報が示す物品の関連情報を読み出して、送信部２８から情報アクセス装置３へ送信する（ステップＳ２１３）。一致しない場合（ステップＳ２１２のＮｏの場合）、そのことを情報アクセス装置３へ通知して処理を終了する（ステップＳ２１４）。
【００６９】
情報アクセス装置３の情報取得部３２は、情報管理装置２から受信した物品の関連情報を図示しない表示部によって利用者に提示する。または、ストレージ（記憶装置）に保存する（ステップＳ２１５）。
【００７０】
本実施の形態により情報管理装置２は、装置の外部からアクセス情報を設定して、物品に付帯するＲＦＩＤタグから受信した識別情報と共に、持ち運び可能な記録媒体へ記録することができる。また、情報アクセス装置３は、持ち運び可能な記録媒体から入力したアクセス情報をネットワークを介してデータベースに送信し、アクセスできるか否かの判断を受けた上で、アクセス可能な場合、持ち運び可能な記録媒体から読み出した識別情報にもとづいてデータベースを検索し、物品に関連する情報を得ることができる。
【００７１】
本実施の形態によりアクセス情報設定部から設定するアクセス情報として、利用者しか知らないクレジットカード番号や利用者固有のコードを利用することができる。
【００７２】
本実施の形態によりアクセス情報設定部から設定するアクセス情報を暗号化することにより、機密情報であるアクセス情報、特に、クレジットカード番号や利用者固有のコードの漏洩を防止することができる。
【００７３】
本実施の形態により情報検索部２３が、識別情報とアクセス情報を対応させて管理しているので、物品の関連情報の取得を目的として外部からデータベースにアクセスする際に、アクセス情報を入力させて物品の識別情報とアクセス情報の対応を検査することにより、そのアクセス情報の権限にもとづいて物品の関連情報にアクセスできるか否かを確認でき、また、識別情報で特定される物品ごとにアクセスを管理することができる。
【００７４】
実施の形態３．
実施の形態３では、実施の形態２における情報管理装置２の構成で、アクセス情報設定部２５に代えてアクセス情報生成部２６を設置した場合の実施の形態について説明する。
【００７５】
情報管理システムの構成は、実施の形態１の構成と同じである。図９は、実施の形態３における情報管理装置２の構成を示す図である。
情報管理装置２は識別情報受信部２１と情報記録部２２とに加えてさらに、アクセス情報を生成するアクセス情報生成部２６を備えており、情報記録部２２は、アクセス情報生成部２６が生成したアクセス情報を物品の識別情報と共に持ち運び可能な記録媒体５に記録する。
【００７６】
アクセス情報生成部２６は、離れた場所からネットワーク４を介して情報管理装置２のデータベース２４にアクセスする際に、利用者を認証するために用いられるアクセス情報を情報管理装置２の内部で生成する。
【００７７】
実施の形態３における情報アクセス装置３の構成は、実施の形態２における情報アクセス装置３の構成と同じである。
【００７８】
実施の形態３における情報管理装置２の動作は、外部からアクセス情報を設定するのに代えて内部でアクセス情報を生成することを除き、実施の形態２における情報管理装置２の動作と同じである。また、実施の形態３における情報アクセス装置３の動作は、実施の形態２における情報アクセス装置３の動作と同じである。
【００７９】
本実施の形態により情報管理装置２は、装置の外部から利用者がアクセス情報を設定することがなくなるため、アクセス情報が漏洩する可能性を低減することができる。
【００８０】
以上、情報管理システムとそれを構成する情報管理装置と情報アクセス装置との実施の形態について説明した。前記した実施の形態においては、情報アクセス装置は、識別情報にもとづいて情報管理装置のデータベースを検索し、物品の関連情報を得ることとしたが、これに限らず他の場所や他の装置に設置されたデータベースを検索し、関連する情報を得ることとしてもよい。
【００８１】
現状ではＲＦＩＤタグの読み取り器を一般家庭が備えることは難しい。しかし、本発明を用いることにより、一般的なＰＣが備えるデータの読み取り手段やキーボードからでもＲＦＩＤタグの識別情報を入力し、利用することが可能となる。
【００８２】
持ち運び可能な記録媒体としてレシートを用いれば、本発明を世界のどこでも利用することが可能となる。また、レシートの印刷はＰＯＳが通常そなえる機能であることから、識別情報を記録することによるＰＯＳへの機能の追加もあまりなく、負担を強いることも少ない。
【００８３】
前記した各実施の形態において、情報管理装置２、情報アクセス装置３は、コンピュータによって実現できるものである。
【００８４】
図示していないが、情報管理装置２、情報アクセス装置３は、プログラムを実行するＣＰＵ（Ｃｅｎｔｒａｌ  Ｐｒｏｃｅｓｓｉｎｇ  Ｕｎｉｔ）を備えている。ＣＰＵは、例えば、バスを介して、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、通信ボード、表示装置、キーボード、マウス、ＦＤＤ（Ｆｌｅｘｉｂｌｅ  Ｄｉｓｋ  Ｄｒｉｖｅ）、ＣＤＤ（Ｃｏｍｐａｃｔ  Ｄｉｓｋ  Ｄｒｉｖｅ）、磁気ディスク装置、光ディスク装置、プリンタ装置、スキャナ装置等と接続されている。
【００８５】
ＲＡＭは、揮発性メモリの一例である。ＲＯＭ、ＦＤＤ、ＣＤＤ、磁気ディスク装置、光ディスク装置は、不揮発性メモリの一例である。これらは、記憶装置あるいは記憶部の一例である。
【００８６】
前記した各実施の形態の情報管理装置２、情報アクセス装置３が扱う情報は、記憶装置あるいは記憶部により記録され、読み出されるものである。
【００８７】
通信ボードは、例えば、ＬＡＮ、インターネット、あるいはＩＳＤＮ（Ｉｎｔｅｇｒａｔｅｄ  Ｓｅｒｖｉｃｅｓ  Ｄｉｇｉｔａｌ  Ｎｅｔｗｏｒｋ）等に接続されている。
【００８８】
磁気ディスク装置には、オペレーティングシステム（ＯＳ）、ウィンドウシステム、プログラム群、ファイル群が記憶されている。プログラム群は、ＣＰＵ、ＯＳ、ウィンドウシステムにより実行される。
【００８９】
情報管理装置２、情報アクセス装置３は、一部あるいはすべてをコンピュータで動作可能なプログラムにより構成しても構わない。あるいは、ＲＯＭに記憶されたファームウェアで実現されていても構わない。あるいは、ソフトウェアとハードウェア、あるいは、ソフトウェアとハードウェアとファームウェアとの組み合わせで実施されても構わない。
【００９０】
プログラム群には、各実施の形態の説明において「〜部」として説明した処理をＣＰＵに実行させるプログラムが含まれる。これらのプログラムは、例えば、Ｃ言語やＨＴＭＬやＳＧＭＬやＸＭＬなどのコンピュータ言語により作成される。
【００９１】
前記したプログラムは、磁気ディスク装置、ＦＤ（Ｆｌｅｘｉｂｌｅ  Ｄｉｓｋ）、光ディスク、ＣＤ（Ｃｏｍｐａｃｔ  Ｄｉｓｋ）、ＭＤ（Ｍｉｎｉ  Ｄｉｓｋ）、ＤＶＤ（Ｄｉｇｉｔａｌ  Ｖｅｒｓａｔｉｌｅ  Ｄｉｓｋ）等のその他の記録媒体に記憶され、ＣＰＵにより読み出され実行される。
【図面の簡単な説明】
【００９２】
【図１】情報管理システムの構成を示す図である。
【図２】実施の形態１における情報管理装置の構成を示す図である。
【図３】実施の形態１における情報アクセス装置の構成を示す図である。
【図４】実施の形態１における情報管理装置と情報アクセス装置の動作を示すフローチャートである。
【図５】実施の形態２における情報管理装置の構成を示す図である。
【図６】実施の形態２における情報アクセス装置の構成を示す図である。
【図７】実施の形態２における情報管理装置と情報アクセス装置との動作を示すフローチャートである。
【図８】実施の形態２における情報管理装置と情報アクセス装置との動作を示すフローチャート（続き）である。
【図９】実施の形態３における情報管理装置の構成を示す図である。
【符号の説明】
【００９３】
１  ＲＦＩＤタグ、２  情報管理装置、２１  識別情報受信部、２２  情報記録部、２３  情報検索部、２４  データベース、２５  アクセス情報設定部、２６  アクセス情報生成部、３  情報アクセス装置、３１  識別情報入力部、３２  情報取得部、３３  アクセス情報入力部、４  ネットワーク、５  持ち運び可能な記録媒体。
【図１】
2006024022.tif 000003
【図２】
2006024022.tif 000004
【図３】
2006024022.tif 000005
【図４】
2006024022.tif 000006
【図５】
2006024022.tif 000007
【図６】
2006024022.tif 000008
【図７】
2006024022.tif 000009
【図８】
2006024022.tif 000010
【図９】
2006024022.tif 000011